(57)【要約】【課題】  従来のボケ防止法は、肉体に負荷がかかるなど長続きしにくかった。【解決手段】  図形、模様等からなる基準指標と、その基準指標と同じである検索指標及びそれとは異なる擬似指標とが同一の又は異なる表示体に表示され、検索指標は一個又は数個、擬似指標は多数個とし、それら検索指標及び擬似指標の中から基準指標に対応した検索指標を探し出し可能とした。基準指標を検索表示体に開口の表示窓に表示し、基準表示体を操作することにより表示窓に表示される基準指標を切替可能とした。多数枚の基準表示体と検索表示体を見開き形式にし、基準表示体または検索表示体をめくることにより、同一平面上に表示される基準指標と検索指標及び擬似指標を切替可能とした。タイマーや報知器を設けた。検索表示体から検索した検索指標又は擬似指標に指を当てる等して指摘すると、その正・誤の表示又は／及びその正誤に基づく得点を表示する表示機能を設けた。【選択図】  図１
2006014803.tif 000002
【特許請求の範囲】
【請求項１】
図形、模様、記号、文字、色彩、動植物の絵若しくはこれらの組み合わせといった基準指標と、基準指標と形状、色彩等が同じである検索指標及びそれとは異なる擬似指標とが同一の又は異なる表示体に表示され、検索指標は一個又は数個、擬似指標は多数個とし、それら検索指標及び擬似指標の中から基準指標に対応した検索指標を探し出し可能とし、基準指標又は検索指標及び擬似指標を切替表示可能としたことを特徴とする脳刺激用検索具。
【請求項２】
前記請求項１記載の脳刺激用検索具において、基準指標を検索指標及び擬似指標が表示された検索表示体の一部に表示し、基準指標を表示部に切替表示可能としたことを特徴とする脳刺激用検索具。
【請求項３】
前記請求項１記載の脳刺激用検索具において、基準指標を表示する基準表示体と、検索指標及び擬似指標を表示する検索表示体とを別体にし、基準指標を検索表示体に開口の表示窓に表示し、基準表示体を操作することにより表示窓に表示される基準指標を切替可能としたことを特徴とする脳刺激用検索具。
【請求項４】
前記請求項１記載の脳刺激用検索具において、多数枚の基準表示体と検索表示体を見開き形式にして、基準表示体の基準指標と検索表示体の検索指標及び擬似指標が同一平面上に表示されるようにし、基準表示体または検索表示体をめくることにより、同一平面上に表示される基準指標と、検索指標及び擬似指標を切替可能としたことを特徴とする脳刺激用検索具。
【請求項５】
前記請求項１乃至請求項４のいずれかに記載の脳刺激用検索具において、検索開始後の経過時間または残存時間を計測するタイマーと、タイムオーバーを知らせる報知器を備えたことを特徴とする脳刺激用検索具。
【請求項６】
前記請求項１乃至請求項５のいずれかに記載の脳刺激用検索具において、検索表示体から検索した検索指標又は擬似指標に指を当てるかそれを指で押すかして正解を指摘すると、その指摘の正・誤の表示又は／及びその正誤に基づく得点を表示する表示機能を備えたことを特徴とする脳刺激用検索具。
【発明の詳細な説明】
【技術分野】
【０００１】
本発明は、楽しみながら脳を刺激して、脳活性化のトレーニングを行うことが可能であり、特に高齢者のボケ防止に有効な脳刺激用検索具に関するものである。
【背景技術】
【０００２】
一般に、人が年齢を重ねて老年期に入ると、物忘れが多くなったりする等、ボケの症状が徐々に進行することは良く知られている。ボケ防止のためには、体や頭を働かせることが有効である。そのため、高齢者は、散歩、ジョギング等の運動をしたり、新しく楽器を習う等の趣味の活動をしたりして、積極的にボケ防止に努めることが望ましい。
【発明の開示】
【発明が解決しようとする課題】
【０００３】
しかし、散歩、ジョギング等の運動や、楽器を習う等の趣味の活動によるボケ防止法には、次のような課題がある。
（１）運動は無理をすると高齢者の肉体に大きな負担がかかってしまうことがある。
（２）運動は長続きしにくい。
（３）趣味の活動の場合、なかなか上達せず、飽きてしまい、中断してしまうことが多い。また、趣味によっては高価な楽器や練習具を購入する必要があり、費用がかかり、気軽に始め難い。
【課題を解決するための手段】
【０００４】
本発明は、高価な道具を必要とせず、安価で手軽に入手でき、楽しみながら、何処でも、脳の活性化のためのトレーニングを、飽きることなく、長期間続けることが可能な脳刺激用検索具を提供するものである。
【０００５】
本件出願の脳刺激用検索具は、図形、模様、記号、文字、色彩、動植物の絵若しくはこれらの組み合わせといった基準指標と、基準指標と形状、色彩等が同じである検索指標及びそれとは異なる擬似指標とが同一の又は異なる表示体に表示され、検索指標は一個又は数個、擬似指標は多数個とし、それら検索指標及び擬似指標の中から基準指標に対応した検索指標を探し出すことができるようにし、基準指標又は検索指標及び擬似指標を切替可能とした。前記基準指標を前記検索指標及び擬似指標が表示された検索表示体の表示部に表示し、基準指標を表示部に切替表示可能とした。基準指標を表示する基準表示体と、検索指標及び擬似指標を表示する検索表示体とを別体にし、基準指標を検索表示体に開口の表示窓に表示し、基準表示体を操作することにより表示窓に表示される基準指標を切替可能とした。多数枚の基準表示体と検索表示体を見開き形式にして、基準表示体の基準指標と検索表示体の検索指標及び擬似指標が同一平面上に表示されるようにし、基準表示体または検索表示体をめくることにより、同一平面上に表示される基準指標と検索指標及び擬似指標を切替可能とした。検索開始後の経過時間または残存時間を計測するタイマーと、タイムオーバーを知らせる報知器を設けた。検索表示体から検索した検索指標又は擬似指標に指を当てるかそれを指で押すかして指摘すると、その指摘の正・誤の表示又は／及びその正誤に基づく得点を表示する表示機能を設けた。
【発明の効果】
【０００６】
本件出願の脳刺激用検索具は次のような効果がある。
（１）基準指標の図形、模様、記号、文字、色彩、絵等と同じ図形、模様、記号、文字、色彩、絵等を、多数の擬似指標の中から探し出す（検索する）ので、脳が刺激され、活性化され、ボケ防止のトレーニングとして有効である。
（２）多数の擬似指標の中に検索指標は数個設けておけば、検索指標が１個の場合よりも検索が複雑、面倒になり、脳の刺激、活性化により一層役立つ。
（３）基準指標又は、擬似指標及び検索指標を切替表示可能であるため、それらを切り替えることにより、一つの脳刺激用検索具で種々の検索トレーニングを行うことができる。
（４）基準指標を、検索表示体に開口された表示窓に切替表示可能としたので、表示窓に表示される基準指標を変えるたびに、新たな検索トレーニングができ、慣れたり、飽きたりすること無く、使用できる。しかも、基準指標を使用する人のペースで切替表示できるので、検索が難し過ぎて飽きるといったことがなく、楽しみながら長く続けることができる。
（５）基準指標が表示された多数枚の基準表示体と、検索指標及び擬似指標が表示された検索表示体を見開き表示可能なノートや本の形式にし、基準表示体または検索表示体をめくることにより同一平面上に表示される基準指標と、検索指標及び擬似指標を切替可能としたので、多数枚の基準表示体及び検索表示体を一冊の本にまとめて、一冊の本で多種類の検索トレーニングを行うことができる。また、持ち運び、収納、整理等にも便利である。
（６）検索開始後の経過時間または残存時間を計測するタイマーを備え、タイムオーバーを知らせる報知器を備えるので、時間を測って検索トレーニングを行うことができ、短時間でスピードアップした検索を心がけることができ、脳の刺激が強まって、検索トレーニングの効果向上が期待できる。
（７）検索表示体から検索した検索指標又は擬似指標に指を当てるかそれを指で押すかして指摘すると、その指摘の正・誤の表示又は／及びその正誤に基づく得点を表示する表示機能を設けたので、毎回の検索成果が明確になり、トレーニングの目標設定ができ、ゲーム性もあるため、楽しみながら、飽きることなく、長く続けることができる。
（８）基準指標又は検索指標及び擬似指標の数、形、色、図形の組み合わせのバリエーション等を変えるだけで、検索の難易度を変えて、１級用、２級用といったようにレベル設定することができ、より高いレベルの検索に挑戦する喜びも生まれ、より効果的なトレーニングが可能となる。
（９）構造が簡易であり、紙や樹脂等でも作ることができるため、安価に提供することができ、誰でも手軽に入手して使用することができる。また、小型、軽量であるため、持ち運びや収納にも便利であって、時と場所を問わず、例えば膝の上などであっても使用できる。また、使用に際して特別な準備も必要ないため、気が向いたときに随時使用可能である。
【発明を実施するための最良の形態】
【０００７】
（実施形態１）
本発明の脳刺激用検索具の実施形態の一例を、図１、図２に基づいて詳細に説明する。本発明の脳刺激用検索具１は、図に示すように、板状の検索表示体２二枚の間に円盤状の基準表示体３を回転自在に固定してなり、表裏両面の使用を可能としてあるものである。
【０００８】
前記二枚の検索表示体２は、夫々図１に示すように、厚紙製の長方形の板材であって、中央部分に表示窓４が開口され、また、長方形の一辺が切り欠かれて前記円盤状の基準表示体３の一部が露出するように切替操作窓５が開口されている。検索表示体２は、厚紙製に限らず、樹脂製等であってもよい。検索表示体２の形状も、図に示す長方形には限られず、円盤形など、他の任意の形状とすることができる。検索表示体２の表面には、図形、模様、記号、文字、色彩、動植物の絵若しくはこれらの組み合わせといった検索指標６ａ及び擬似指標６ｂが複数個配置されている。図１に示す検索指標６ａ及び擬似指標６ｂは、様々な色の円を切り欠いたり組み合わせたりした、所定の規則性を持つものであるが、検索指標６ａ及び擬似指標６ｂはこれには限られず、例えば数字、文字、国旗、交通標識、トランプ、花、動物等や、それらの組み合わせ等、任意の図柄等とすることができる。検索指標６ａ及び擬似指標６ｂは、検索表示体２に直接描いたり、脱着可能なステッカーを貼りつける等、任意の手段で配置することができる。本実施形態では、二枚の検索表示体２には、夫々異なる種類の検索指標６ａ及び擬似指標６ｂを配置することが、両面で難易度の異なる検索トレーニングをする上では望ましい。また、検索表示体２の長手方向一端には、視点切替指標７も配置されている。視点切替指標７は、周囲の検索指標６ａ及び擬似指標６ｂとは関連のない図形等を用いて目立つようにすることが望ましい。
【０００９】
前記基準表示体３は、図１に示すように、厚紙製の円盤状部材であって、円周部は手で把持して回転させ易いように鋸刃状に形成されている。基準表示体３は、厚紙製に限らず、樹脂製等であってもよい。基準表示体３は、二枚の検索表示体２の間に、一部が前記切替操作窓５から露出する位置に配置され、回転軸８を円の中心に備えて、二枚の検索表示体２の間に回転自在に取付けられている。基準表示体３の両面のうち、検索表示体２の表示窓４内を通過する円周上には、検索表示体２上に配置された検索指標６ａ又は擬似指標６ｂと形状、色彩等が同じである基準指標６ｃが、任意の順番で配置されている。従って、検索表示体２の表示窓４内には、検索表示体２上に配置された検索指標６ａ又は擬似指標６ｂのいずれかと同じ形状、色彩等の基準指標６ｃが表れ、基準表示体３を回転させると、表示窓４内の基準指標６ｃが次々と変わるようにしてある。
【００１０】
また、本発明の脳刺激用検索具１は、図２に示すように、スタンド９で支持することで、任意の角度に立てることもできる。図２に示すスタンド９は、板状の基板１０上に、二枚の挟持板１１が垂直に立設されたものであって、本発明の脳刺激用検索具１を挟持板１１間に差し入れて垂直に立設させることができるものである。スタンド９は、図２に示すものには限られず、脳刺激用検索具１を支持して、任意の角度に立てることができるものであれば、任意のものを用いることができる。
【００１１】
本実施形態の脳刺激用検索具１は、検索表示体２の四隅にゴム片等を備えて、机等に置いた場合に滑らないようにすることもできる。また、検索表示体２に紐、フック等を付けて、壁に掛けたりすることもできる。
【００１２】
上記のように、図１、図２に示す脳刺激用検索具１は、検索表示体２を二枚用い、基準表示体３の両面に基準指標６ｃを配置して、表裏両面を使用可能としてある。もっとも、検索表示体２を一枚として、片面のみを使用可能な脳刺激用検索具とすることも可能である。また、本実施形態の脳刺激用検索具１は、検索表示体２の上下左右どの方向からも使用することができ、指による検索指標６ａの指摘（指差運動）及び基準表示体３の回転を、左右どちらの手を用いてもできるようにしてある。
【００１３】
（使用例１）
図１、図２に示す本実施形態の脳刺激用検索具１を使用して検索トレーニングを行うには、次のようにする。本例では、指によって検索指標６ａ、基準指標６ｃを指摘する指差運動を行う場合について説明する。
（１）基準表示体３を一方に回転させて、表示窓４内に、基準表示体３上の基準指標６ｃを一つ表す。
（２）表示窓４内の基準指標６ｃを指で指摘し、検索表示体２上に配置された検索指標６ａ及び擬似指標６ｂの中から、表示窓４内の基準指標６ｃに対応した形状、色彩等の検索指標６ａを探して見つけ、その検索指標６ａを指で指摘する。
（３）検索指標６ａを指示したら、視点切替指標７を指で指摘して、視点を表示窓４から離し、指差運動が一セット終了する。
上記（１）〜（３）の動作を繰り返して、指差運動を任意セット数行うことができる。基準表示体３上の基準指標６ｃが一周したら、指差運動を一ゲーム終了とすることもできる。また、指差運動盤１を裏返して、別の検索指標６ａ及び擬似指標６ｂを用いて指差運動を行うこともできる。また、行う検索トレーニングは、指差運動には限られず、検索指標６ａ、基準指標６ｃを目で追うトレーニングとする等、任意の検索トレーニングとすることもできる。
【００１４】
（実施形態２）
本発明の脳刺激用検索具の実施形態の他の例について、図３に基づいて説明する。本実施形態の脳刺激用検索具も、基本的な構成態様は前記実施形態１記載のものと共通するが、検索表示体２及び基準表示体３の構成において実施形態１記載のものとは異なる。本実施形態の検索表示体２には、図３に示すように、検索表示体２に、表示窓４が三箇所に形成され（表示窓４ａ〜４ｃ）、基準表示体３が三枚備えられている（基準表示体３ａ〜３ｃ）。それに合わせて、検索表示体２には切替操作窓５も三箇所形成されている。また、本実施形態では、検索トレーニング時に視点が一つの表示窓４に固定されないため、図に示すように、検索表示体２上に視点切替指標７が設けられていない点でも実施形態１とは異なる。
【００１５】
表示窓４及び基準表示体３の数は、図に示す三つには限られず、任意の数設けることができる。検索表示体２及び基準表示体３の大きさや形状は、表示窓４及び基準表示体３の数に応じて変化させることができる。また、本実施形態においても、前記実施形態１と同様に視点切替指標７を備えることも可能である。
【００１６】
（使用例２）
図３に示す本実施形態の脳刺激用検索具１を使用して検索トレーニングを行うには、次のようにする。本例においても、検索トレーニングとして指差運動を行う場合について説明する。
（１）基準表示体３ａを一方に回転させて、表示窓４ａ内に、基準表示体３ａ上の基準指標６ｃを一つ表す。
（２）表示窓４ａ内の基準指標６ｃを指で指摘し、検索表示体２上の検索指標６ａ及び擬似指標６ｂ中から、表示窓４ａ内の基準指標６ｃと同じものを探して見つけ、その検索指標６ａを指で指摘する。
（３）次に基準表示体３ｂを一方に回転させて、表示窓４ｂ内に、基準表示体３ｂ上の基準指標６ｃを一つ表す。
（４）表示窓４ｂ内の基準指標６ｃを指で指摘し、検索表示体２上の検索指標６ａ及び擬似指標６ｂ中から、表示窓４ｂ内の基準指標６ｃと同じものを探して見つけ、その検索指標６ａを指で指摘する。
（５）次に基準表示体３ｃを一方に回転させて、表示窓４ｃ内に、基準表示体３ｃ上の基準指標６ｃを一つ表す。
（６）表示窓４ｃ内の基準指標６ｃを指で指摘し、検索表示体２上の検索指標６ａ及び擬似指標６ｂ中から、表示窓４ｃ内の基準指標６ｃに対応したものを探して見つけ、その検索指標６ａを指で指摘して、指差運動が一セット終了する。
上記（１）〜（６）の動作を繰り返して、指差運動を任意セット数行うことができる。各基準表示体３ａ〜３ｂ上の基準指標６ｃが一周したら、指差運動を一ゲーム終了とすることもできる。また、脳刺激用検索具１を裏返して、別の検索指標６ａ及び擬似指標６ｂの配置された検索表示体２を用いて指差運動を行うこともできる。また、上記使用例において、基準表示体３ａ〜３ｃを回転させて、各表示窓４ａ〜４ｃ内に基準指標６ｃを表した後に、各表示窓４ａ〜４ｃについて指摘を行うようにすることもできる。また、行う検索トレーニングは、前記実施形態１と同様に、指差運動には限られず、検索指標６ａ、基準指標６ｃを目で追うトレーニングとする等、任意の検索トレーニングとすることもできる。
【００１７】
（実施形態３）
本発明の脳刺激用検索具の実施形態の他の例について、図４に基づいて説明する。本実施形態の脳刺激用検索具も、基本的な構成態様は前記実施形態１記載のものと共通するが、検索表示体２及び基準表示体３の構成において実施形態１記載のものとは異なる。本実施形態の検索表示体２には、図３に示すように、大中小三種類の検索指標６ａ及び擬似指標６ｂが夫々配置されている。また、基準表示体３にも、複数種類の基準指標６ｃを一組として表示窓４に表すことができるように、複数種類の基準指標６ｃを一組として複数組配置してある。また、本実施形態でも、前記実施形態２のように、基準表示体２に表示窓４を複数個形成し、基準表示体３を複数枚備えることもできる。また、本実施形態も、表示窓４内に複数個の基準指標６ｃが表れ、検索トレーニング時に目線が一つの表示窓４に固定されないため、図に示すように、検索表示体２上に視点切替指標７が設けられていない。
【００１８】
前記検索表示体２に配置する検索指標６ａ及び擬似指標６ｂの種類は、図に示す三種類には限られず、二種類や、四種類の他、一種類であってもよく、任意の種類数とすることができる。また、検索指標６ａ及び擬似指標６ｂの種類分けは、図に示す大中小のような大きさによる種類分けの他にも、赤青黄のような色による種類分けをしたり、丸三角四角のような形による種類分けをしたり、その他相互に全く関係のない種類同士の図形、色彩、模様等を組み合わせたりする等、任意の種類分けをすることができる。また、前記基準表示体３に配置される一組の基準指標６ｃは、検索表示体２上の検索指標６ａ及び擬似指標６ｂを全種類一つずつ含むものには限られず、所定の種類の図形、色彩、模様等を複数個含むものとしたり、所定の種類の図形、色彩、模様等を含まないものとする等、表示窓４内に複数個の基準指標６ｃを表示できるものであれば任意の組み合わせのものとすることができる。また、本実施形態においても、前記実施形態１と同様に視点切替指標７を備えることも可能である。
【００１９】
（使用例３）
図４に示す本実施形態の脳刺激用検索具１を使用して検索トレーニングを行うには、次のようにする。本例においても、検索トレーニングとして指差運動を行う場合について説明する。
（１）基準表示体３を一方に回転させて、表示窓４内に、基準表示体３上の基準指標６ｃを一組表す。
（２）表示窓４内の一組の基準指標６ｃのうち一つを指で指摘し、検索表示体２上の検索指標６ａ及び擬似指標６ｂ中から、表示窓４内の基準指標６ｃに対応するものを探して見つけ、その検索指標６ａを指で指摘する。
（３）次に表示窓４内の一組の基準指標６ｃのうち他の一つを指で指摘し、検索表示体２上の検索指標６ａ及び擬似指標６ｂ中から、表示窓４内の基準指標６ｃに対応するものを探して見つけ、その検索指標６ａを指で指摘する。
（４）最後に表示窓４内の一組の基準指標６ｃのうち残りの一つを指で指摘し、検索表示体２上の検索指標６ａ及び擬似指標６ｂ中から、表示窓４内の基準指標６ｃに対応するものを探して見つけ、その検索指標６ａを指で指摘する。
（５）表示窓４内の全ての基準指標６ｃを指示したら、指差運動が一セット終了する。
上記（１）〜（５）の動作を繰り返して、指差運動を任意セット数行うことができる。基準表示体３上の基準指標６ｃの組が一周したら、指差運動を一ゲーム終了とすることもできる。また、脳刺激用検索具１を裏返して、別の検索指標６ａ及び擬似指標６ｂの組を用いて指差運動を行うこともできる。また、行う検索トレーニングは、前記各実施形態と同様に、指差運動には限られず、検索指標６ａ、基準指標６ｃを目で追うトレーニングとする等、任意の検索トレーニングとすることもできる。
【００２０】
（実施形態４）
本発明の脳刺激用検索具の実施形態の他の例について、図５に基づいて説明する。本実施形態の脳刺激用検索具も、基本的な構成態様は前記実施形態１記載のものと共通するが、検索表示体２及び基準表示体３の形状において実施形態１記載のものとは異なる。本実施形態の検索表示体２には、図５に示すように、切替操作窓５が形成されておらず、検索表示体２は長方形としてある。また、本実施形態では、図４に示すように、厚紙製の帯状の基準表示体３が備えられている。基準表示体３は、厚紙製に限らず、樹脂製等であってもよい。前記実施形態１と同様に、基準表示体３の片面又は両面には、検索表示体２上に配置された検索指標６ａ又は擬似指標６ｂのいずれかと同じ図形、色彩等の基準指標６ｃが、基準表示体３の長手方向に任意の順番で配置されている。基準表示体３は、二枚の検索表示体２の間に、長手方向一端部又は両端部を検索表示体２の外方に突出させて長手方向に往復スライド可能なように、且つ表示窓４内に基準表示体３上の基準指標６ｃが表れる位置に備えられている。従って、検索表示体２の表示窓４内には、検索表示体２上に配置された検索指標６ａ又は擬似指標６ｂのいずれかと同じ基準指標６ｃが表れ、基準表示体３を往復スライドさせると、表示窓４内に表示される基準指標６ｃが次々と変わるようにしてある。本実施形態においても、基準表示体３を保持し、往復スライドさせることが可能であれば、検索表示体２を一枚として、片面のみを使用可能な脳刺激用検索具とすることも可能である。また、本実施形態でも、前記実施形態２のように、基準表示体２に表示窓４を複数個形成し、基準表示体３を複数本備えることもできる。その場合は、検索表示体２上に視点切替指標７を設けないようにすることもできる。また、本実施形態の脳刺激用検索具１においても、前記実施形態２記載のものと同様に、検索表示体２上に複数種類の検索指標６ａ及び擬似指標６ｂを配置し、基準表示体３にも複数種類の基準指標６ｃを複数組配置して、表示窓４内に複数種類の基準指標６ｃを一組として同時に表れるようにすることもできる。
【００２１】
（使用例４）
図５に示す本実施形態の脳刺激用検索具１を使用して検索トレーニングを行うには、次のようにする。本例においても、検索トレーニングとして指差運動を行う場合について説明する。
（１）基準表示体３を一方にスライドさせて、表示窓４内に、基準表示体３上の基準指標６ｃを一つ表す。
（２）表示窓４内の基準指標６ｃを指で指摘し、検索表示体２上の検索指標６ａ及び擬似指標６ｂ中から、表示窓４内の基準指標６ｃに対応するものを探して見つけ、その検索指標６ａを指で指摘する。
（３）検索指標６ａを指示したら、視点切替指標７を指で指摘して、指差運動が一セット終了する。
上記（１）〜（３）の動作を繰り返して、指差運動を任意セット数行うことができる。基準表示体３上の基準指標６ｃが最後まで送り出されたら、指差運動を一ゲーム終了とすることもできる。また、脳刺激用検索具１を裏返して、別の検索指標６ａ及び擬似指標６ｂを用いて指差運動を行うこともできる。また、行う検索トレーニングは、前記各実施形態と同様に、指差運動には限られず、検索指標６ａ、基準指標６ｃを目で追うトレーニングとする等、任意の検索トレーニングとすることもできる。
【００２２】
（実施形態５）
本発明の脳刺激用検索具の実施形態の他の例について、図６（ａ）（ｂ）に基づいて説明する。本実施形態の脳刺激用検索具は、図に示すように、本の体裁をとる点で前記各実施形態記載のものとは異なる。本実施形態の脳刺激用検索具１は、図６（ａ）に示すように、本の右ページを検索表示体２とし、複数個の検索指標６ａ及び擬似指標６ｂを配置している。また、本の左ページを基準表示体３とし、基準指標６ｃを一つ配置している。従って、本実施形態の指示具１は見開き二ページで検索トレーニングが一セット可能なようにしてある。検索表示体２と基準表示体３との配置は、図６（ａ）に示す配置には限られず、左右逆や、上下に配置する等、任意の配置とすることができる。また、基準表示体３に配置する基準指標６ｃの数は一つには限られず、複数個とすることもできる。また、図６（ｂ）に示すように、検索表示体２の検索指標６ａ及び擬似指標６ｂと同じ図形、模様、色彩等を全て配置することもできる。本実施形態の脳刺激用検索具１は、各ページを難易度順に配置することもできる。また、本実施形態の脳刺激用検索具１も、ページ（検索表示体２又は基準表示体３）をめくることによって、使用者の視界が切り替わるため、実施形態１記載の脳刺激用検索具のような視点切替指標７を設ける必要がない。
【００２３】
（使用例５）
図６（ａ）に示す本実施形態の脳刺激用検索具１を使用して検索トレーニングを行うには、次のようにする。本例においても、検索トレーニングとして指差運動を行う場合について説明する。
（１）本型の脳刺激用検索具１を開き、左ページの基準表示体３に基準指標６ｃが一つ表され、右ページの検索表示体２に複数個の検索指標６ａ及び擬似指標６ｂが表された見開き二ページとする。
（２）左ページの基準表示体３の基準指標６ｃを指で指摘し、右ページの検索表示体２の複数個の検索指標６ａ及び擬似指標６ｂ中から、基準指標６ｃに対応するものを探して見つけ、その検索指標６ａを指で指摘して、指差運動が一セット終了する。
（３）検索指標６ａを指で指摘したら、ページを一ページめくり、再び、左ページの基準表示体３に基準指標６ｃが一つ表され、右ページの検索表示体２に複数個の検索指標６ａ及び擬似指標６ｂが表された別の見開き二ページとする。
（４）左ページの基準表示体３の基準指標６ｃを指で指摘し、右ページの検索表示体２の複数個の検索指標６ａ及び擬似指標６ｂ中から、基準指標６ｃに対応するものを探して見つけ、その検索指標６ａを指で指摘して、指差運動がもう一セット終了する。
上記（１）〜（４）の動作を繰り返して、指差運動を任意セット数行うことができる。ページを最後までめくったら、指差運動を一ゲーム終了とすることもできる。また、行う検索トレーニングは、前記各実施形態と同様に、指差運動には限られず、検索指標６ａ、基準指標６ｃを目で追うトレーニングとする等、任意の検索トレーニングとすることもできる。
【００２４】
（実施形態６）
本発明の脳刺激用検索具の実施形態の他の例について、図７（ａ）（ｂ）に基づいて説明する。本実施形態の脳刺激用検索具も、図に示すように、本の体裁をとる点で前記実施形態５記載のものと共通する。本実施形態の脳刺激用検索具１は、図７（ａ）（ｂ）に示すように、本型であって、各ページを検索表示体２とし、複数個の検索指標６ａ及び擬似指標６ｂを配置し、見開き二ページで、指差運動が一セット可能なようにしたものである。図７（ａ）中の右ページには、表示窓４が開口されており、表示窓４内に表示される下のページが基準表示体３となり、下のページに配置された検索指標６ａ及び擬似指標６ｂが、基準指標６ｃとして表示窓４内に表れるようにしてある。また、図７（ｂ）に示すように、表示窓４のあるページをめくって、左ページとした場合も、表示窓４内に表示される下のページが基準表示体３となり、下のページに配置された検索指標６ａ及び擬似指標６ｂが、基準指標６ｃとして表示窓４内に表れるようにしてある。本実施形態の脳刺激用検索具には、見開き二ページのうち少なくとも一ページ中に、下のページを基準表示体３とし、基準指標６ｃを一つ以上表す表示窓４が開口されている。また、各ページに、前記実施形態１〜４のような、円盤状、帯状等の検索表示体２と別体の基準表示体３を備え、切替操作できるようにすることもできる。また、表示窓４を複数個開口することもできる。前記実施形態３記載の脳刺激用検索具のように、各ページ上の検索指標６ａ及び擬似指標６ｂは、大中小の三種類等のように複数種類配置することもできる。また、表示窓４内には、複数個の基準指標６ｃが表れるようにすることもできる。また、見開きページごとに、夫々異なる種類の検索指標６ａ及び擬似指標６ｂを配置することもできる。また、本実施形態の脳刺激用検索具１も、ページをめくることによって、使用者の視界が切り替わるため、前記各実施形態記載のもののように視点切替指標７を設ける必要がない。
【００２５】
（使用例６）
図７（ａ）（ｂ）に示す本実施形態の脳刺激用検索具１を使用して検索トレーニングを行うには、次のようにする。本例においても、検索トレーニングとして指差運動を行う場合について説明する。
（１）本型の脳刺激用検索具１を開き、見開き二ページの検索表示体２に複数個の検索指標６ａ及び擬似指標６ｂが表され、表示窓４内に、下のページの基準表示体３の基準指標６ｃが一つ表れている見開き二ページとする。
（２）表示窓４内の基準指標６ｃを指で指摘し、見開き二ページの検索表示体２の検索指標６ａ及び擬似指標６ｂ中から、表示窓４内の基準指標６ｃに対応したものを探して見つけ、その検索指標６ａを指で指摘して、指差運動が一セット終了する。
（３）検索指標６ａを指示したら、ページを一ページめくり、再び、見開き二ページの検索表示体２に複数個の検索指標６ａ及び擬似指標６ｂが表され、表示窓４内に、下のページの基準表示体３の基準指標６ｃが一つ表れている別の見開き二ページとする。
（４）表示窓４内の基準指標６ｃを指で指摘し、見開き二ページの検索表示体２の検索指標６ａ及び擬似指標６ｂ中から、表示窓４内の基準指標６ｃに対応したものを探して見つけ、その検索指標６ａを指で指摘して、指差運動がもう一セット終了する。
上記（１）〜（４）の動作を繰り返して、指差運動を任意セット数行うことができる。ページを最後までめくったら、指差運動を一ゲーム終了とすることもできる。また、行う検索トレーニングは、前記各実施形態と同様に、指差運動には限られず、検索指標６ａ、基準指標６ｃを目で追うトレーニングとする等、任意の検索トレーニングとすることもできる。
【００２６】
（実施形態７）
本発明の脳刺激用検索具の実施形態の他の例について、図８に基づいて説明する。本実施形態の脳刺激用検索具１は、前記各実施形態記載のものとは異なり、複数の画面を備えるディスプレイ２０にタイマーと音声出力装置２３とを備え、画面上に表示される基準指標６ｃを指差して検索トレーニングを行うことができるものである。本実施形態においては、図８に示すように、検索表示体２及び基準表示体３とは一つの画面としてある（以下「表示体２（３）」とする。）。本実施形態のディスプレイ２０には、ＣＲＴディスプレイや、液晶ディスプレイ等、任意の表示装置を用いることができる。また、本実施形態の脳刺激用検索具１には、図８に示すように、表示体２（３）の上方に情報表示画面２２が備えられている。
【００２７】
前記表示体２（３）は、図８に示すように、一つの画面であって、任意の検索指標６ａ及び擬似指標６ｂ、表示窓４、基準指標６ｃ等を切替表示可能としたものである。また、本実施形態の表示体２（３）には、使用者が表示体２（３）に表示した検索指標６ａ及び擬似指標６ｂや基準指標６ｃにタッチしたかどうかを検出するタッチパネルスイッチ（図示しない）が備えられている。タッチパネルスイッチは、使用者が表示体２（３）に表示した検索指標６ａ及び擬似指標６ｂや基準指標６ｃを指で押したかどうかを検出するものとすることもできる。従って、表示体２（３）は、使用者が正しく検索指標６ａにタッチし、検索トレーニングが一セット終了したことを検知して、表示されている検索指標６ａ及び擬似指標６ｂ、表示窓４、基準指標６ｃ等を切り替えるようにすることができる。
【００２８】
前記情報表示画面２２は、図８に示すように、表示体２（３）の上部に配置され、使用者が表示体２（３）においてタッチした検索指標６ａ又は擬似指標６ｂの正誤、検索開始からの経過時間や残り時間、タイムオーバー、獲得得点、最高得点等の諸情報を表示可能としたものである。また、情報表示画面２２にもタッチパネルスイッチを備え、表示情報の切り替え等を可能にすることもできる。
【００２９】
前記タイマーは、本実施形態の脳刺激用検索具１に内蔵されており、検索開始からの経過時間を測ったり、制限時間を設定して残り時間を測ったりすることができる。タイマーには、図８に示すように、スイッチ２４が備えられ、スイッチ２４を押してタイマーの作動及び停止を行うことができるようにしてある。また、本実施形態では、スイッチ２４は、指差運動の開始スイッチとしても用いられており、スイッチ２４を押すと、タイマーが作動するとともに、表示画面２１及び情報表示画面２２が作動して、検索トレーニングが開始できるようにしてある。スイッチ２４は、前記表示体２（３）や情報表示画面２２上に表示することも可能である。
【００３０】
前記音声出力装置２３は、図８に示すように、表示体２（３）の下部に配置され、使用者が表示体２（３）においてタッチした検索指標６ａ又は擬似指標６ｂの正誤、検索トレーニングの開始及び終了、得点、指差運動の開始からの経過時間や残り時間、タイムオーバー等を音声で案内することができるものである。
【００３１】
また、本実施形態の脳刺激用検索具１も、図８に示すように、スタンド２５によって支持して、任意の角度に立てることができる。
【００３２】
前記ディスプレイ２０は、図に示すように表示体２（３）と情報表示画面２２とを別個に備えるものには限られず、任意の検索指標６ａ及び擬似指標６ｂ、表示窓４、基準指標６ｃ等の切替表示と、タッチした検索指標６ａ又は擬似指標６ｂの正誤等の諸情報の表示とを分けて表示可能であれば、ディスプレイ２０に備えられる画面は一つであってもよい。また、前記ディスプレイ２０、タイマー、音声出力装置２３等の形状、大きさ、配置等は、図８に示すものには限られず、任意の形状、大きさ、配置等とすることができる。
【００３３】
（使用例７）
図８に示す本実施形態の脳刺激用検索具１を使用して検索トレーニングを行うには、次のようにする。本例においても、検索トレーニングとして指差運動を行う場合について説明する。
（１）スイッチ２４を押して、タイマー、表示体２（３）、情報表示画面２２を作動させる。表示体２（３）には、複数個の検索指標６ａ及び擬似指標６ｂと、表示窓４が表示され、表示窓４内には基準指標６ｃが表示される。
（２）表示体２（３）上に表された表示窓４内の基準指標６ｃに指を触れてタッチし、表示体２（３）上の検索指標６ａ及び擬似指標６ｂ中から、表示窓４内の基準指標６ｃに対応したものを探して見つけ、その検索指標６ａ又は擬似指標６ｂに指を触れてタッチして、指差運動が一セット終了する。情報表示画面２２にはタッチした検索指標６ａ又は擬似指標６ｂの正誤が表示され、音声出力装置２３からはタッチした検索指標６ａ又は擬似指標６ｂの正誤が音声で案内される。
（３）表示体２（３）の表示が切り替わり、別の複数個の検索指標６ａ及び擬似指標６ｂと、表示窓４が表示され、表示窓４内には基準指標６ｃが表示される。
（４）上記（２）〜（３）の動作を繰り返し、指差運動を任意セット数行うことができる。所定のセット数を終了したり、所定時間が経過した場合には、指差運動を一ゲーム終了とし、得点等の結果を情報表示画面２２に表示する。
再度指差運動を行う場合は、上記（１）〜（４）を繰り返す。
なお、行う検索トレーニングは、前記各実施形態と同様に、指差運動には限られず、検索指標６ａ、基準指標６ｃをキーボードやマウスで指示体を操作して指摘するトレーニングとする等、任意の検索トレーニングとすることもできる。
【００３４】
（その他の実施形態）
本発明の脳刺激用検索具においては、複数個の検索指標及び擬似指標を表示する検索表示体や、表示窓内に表される基準指標を切り替える基準表示体の形状等は、上記のものには限られず、任意の形状等とすることができる。従って、例えば、検索表示体を円盤形としたり、球体や立方体のような立体とすることも可能である。また、基準表示体も、ルーレット型等としてどの基準指標が窓内に表されるか事前に分からないようにすること等もできる。
【００３５】
本発明の脳刺激用検索具においては、検索表示体又は基準表示体上の図形、模様、色彩等の種類を増やしたり、混同し易い図形、模様、色彩等を増やす等して、難易度を細かく調節することもできる。難易度は、任意の段階数に調整することができる。また、年代別、男女別等の分け方で段階を調整することもできる。
【００３６】
また、検索表示体２に配置される擬似指標６ｂは、基準表示体３に配置されておらず、決して表示窓４内に表れることのないダミーとして、検索トレーニングの難易度を上げることもできる。また、表示窓内になぞなぞや数式を表して、その答えを検索表示体に配置される図柄や文字や数字などから探すようにして検索トレーニングの難易度を上げることもできる。
【産業上の利用可能性】
【００３７】
本発明の脳刺激用検索具は、老人のボケ防止のための脳の活性化のためのトレーニングに活用できるほかに、乳幼児等に、文字、物の名前等を教えるための教育用教材としても活用することができる。
【図面の簡単な説明】
【００３８】
【図１】本発明の脳刺激用検索具の実施形態の一例を示す平面図。
【図２】図１に示す脳刺激用検索具を示した斜視図。
【図３】本発明の脳刺激用検索具の実施形態の他の一例を示す平面説明図。
【図４】本発明の脳刺激用検索具の実施形態の他の一例を示す平面説明図。
【図５】本発明の脳刺激用検索具の実施形態の他の一例を示す平面図。
【図６】本発明の脳刺激用検索具の実施形態の他の一例を示す平面説明図。
【図７】（ａ）、（ｂ）は、本発明の脳刺激用検索具の実施形態の一例を示す説明図。
【図８】本発明の脳刺激用検索具の実施形態の一例を示す斜視図。
【符号の説明】
【００３９】
１  脳刺激用検索具
２  検索表示体
３  基準表示体
４  表示窓
５  切替操作窓
６ａ  検索指標
６ｂ  擬似指標
６ｃ  基準指標
７  視点切替指標
【図１】
2006014803.tif 000003
【図２】
2006014803.tif 000004
【図３】
2006014803.tif 000005
【図４】
2006014803.tif 000006
【図５】
2006014803.tif 000007
【図６】
2006014803.tif 000008
【図７】
2006014803.tif 000009
【図８】
2006014803.tif 000010
【手続補正書】
【提出日】平成16年11月19日(2004.11.19)
【手続補正１】
【補正対象書類名】特許請求の範囲
【補正対象項目名】全文
【補正方法】変更
【補正の内容】
【特許請求の範囲】
【請求項１】
図形、模様、記号、文字、色彩、動植物の絵若しくはこれらの組み合わせといった基準指標と、基準指標と形状、色彩等が同じである検索指標及びそれとは異なる擬似指標とが同一の又は異なる表示体に表示され、検索指標は一個又は数個、擬似指標は多数個とし、それら検索指標及び擬似指標の中から基準指標に対応した検索指標を探し出し可能とし、基準指標又は検索指標及び擬似指標を切替表示可能としたことを特徴とする脳刺激用検索具。
【請求項２】
前記請求項１記載の脳刺激用検索具において、基準指標を表示する基準表示体と、検索指標及び擬似指標を表示する検索表示体とを別体にし、基準指標を検索表示体に開口の表示窓に表示し、基準表示体を操作することにより表示窓に表示される基準指標を切替可能としたことを特徴とする脳刺激用検索具。
【請求項３】
前記請求項１記載の脳刺激用検索具において、多数枚の基準表示体と検索表示体を見開き形式にして、基準表示体の基準指標と検索表示体の検索指標及び擬似指標が同一平面上に表示されるようにし、基準表示体または検索表示体をめくることにより、同一平面上に表示される基準指標と、検索指標及び擬似指標を切替可能としたことを特徴とする脳刺激用検索具。
【請求項４】
前記請求項１乃至請求項３のいずれかに記載の脳刺激用検索具において、検索開始後の経過時間または残存時間を計測するタイマーと、タイムオーバーを知らせる報知器を備えたことを特徴とする脳刺激用検索具。
【請求項５】
前記請求項１乃至請求項４のいずれかに記載の脳刺激用検索具において、検索表示体から検索した検索指標又は擬似指標に指を当てるかそれを指で押すかして正解を指摘すると、その指摘の正・誤の表示又は／及びその正誤に基づく得点を表示する表示機能を備えたことを特徴とする脳刺激用検索具。
【手続補正２】
【補正対象書類名】明細書
【補正対象項目名】全文
【補正方法】変更
【補正の内容】
【発明の詳細な説明】
【技術分野】
【０００１】
本発明は、楽しみながら脳を刺激して、脳活性化のトレーニングを行うことが可能であり、特に高齢者のボケ防止に有効な脳刺激用検索具に関するものである。
【背景技術】
【０００２】
一般に、人が年齢を重ねて老年期に入ると、物忘れが多くなったりする等、ボケの症状が徐々に進行することは良く知られている。ボケ防止のためには、体や頭を働かせることが有効である。そのため、高齢者は、散歩、ジョギング等の運動をしたり、新しく楽器を習う等の趣味の活動をしたりして、積極的にボケ防止に努めることが望ましい。
【発明の開示】
【発明が解決しようとする課題】
【０００３】
しかし、散歩、ジョギング等の運動や、楽器を習う等の趣味の活動によるボケ防止法には、次のような課題がある。
（１）運動は無理をすると高齢者の肉体に大きな負担がかかってしまうことがある。
（２）運動は長続きしにくい。
（３）趣味の活動の場合、なかなか上達せず、飽きてしまい、中断してしまうことが多い。また、趣味によっては高価な楽器や練習具を購入する必要があり、費用がかかり、気軽に始め難い。
【課題を解決するための手段】
【０００４】
本発明は、高価な道具を必要とせず、安価で手軽に入手でき、楽しみながら、何処でも、脳の活性化のためのトレーニングを、飽きることなく、長期間続けることが可能な脳刺激用検索具を提供するものである。
【０００５】
本件出願の脳刺激用検索具は、図形、模様、記号、文字、色彩、動植物の絵若しくはこれらの組み合わせといった基準指標と、基準指標と形状、色彩等が同じである検索指標及びそれとは異なる擬似指標とが同一の又は異なる表示体に表示され、検索指標は一個又は数個、擬似指標は多数個とし、それら検索指標及び擬似指標の中から基準指標に対応した検索指標を探し出すことができるようにし、基準指標又は検索指標及び擬似指標を切替可能とした。前記基準指標を前記検索指標及び擬似指標が表示された検索表示体の一部に表示し、基準指標を表示部に切替表示可能とした。基準指標を表示する基準表示体と、検索指標及び擬似指標を表示する検索表示体とを別体にし、基準指標を検索表示体に開口の表示窓に表示し、基準表示体を操作することにより表示窓に表示される基準指標を切替可能とした。多数枚の基準表示体と検索表示体を見開き形式にして、基準表示体の基準指標と検索表示体の検索指標及び擬似指標が同一平面上に表示されるようにし、基準表示体または検索表示体をめくることにより、同一平面上に表示される基準指標と検索指標及び擬似指標を切替可能とした。検索開始後の経過時間または残存時間を計測するタイマーと、タイムオーバーを知らせる報知器を設けた。検索表示体から検索した検索指標又は擬似指標に指を当てるかそれを指で押すかして指摘すると、その指摘の正・誤の表示又は／及びその正誤に基づく得点を表示する表示機能を設けた。
【発明の効果】
【０００６】
本件出願の脳刺激用検索具は次のような効果がある。
（１）基準指標の図形、模様、記号、文字、色彩、絵等と同じ図形、模様、記号、文字、色彩、絵等を、多数の擬似指標の中から探し出す（検索する）ので、脳が刺激され、活性化され、ボケ防止のトレーニングとして有効である。
（２）多数の擬似指標の中に検索指標は数個設けておけば、検索指標が１個の場合よりも検索が複雑、面倒になり、脳の刺激、活性化により一層役立つ。
（３）基準指標又は、擬似指標及び検索指標を切替表示可能であるため、それらを切り替えることにより、一つの脳刺激用検索具で種々の検索トレーニングを行うことができる。
（４）基準指標を、検索表示体に開口された表示窓に切替表示可能としたので、表示窓に表示される基準指標を変えるたびに、新たな検索トレーニングができ、慣れたり、飽きたりすること無く、使用できる。しかも、基準指標を使用する人のペースで切替表示できるので、検索が難し過ぎて飽きるといったことがなく、楽しみながら長く続けることができる。
（５）基準指標が表示された多数枚の基準表示体と、検索指標及び擬似指標が表示された検索表示体を見開き表示可能なノートや本の形式にし、基準表示体または検索表示体をめくることにより同一平面上に表示される基準指標と、検索指標及び擬似指標を切替可能としたので、多数枚の基準表示体及び検索表示体を一冊の本にまとめて、一冊の本で多種類の検索トレーニングを行うことができる。また、持ち運び、収納、整理等にも便利である。
（６）検索開始後の経過時間または残存時間を計測するタイマーを備え、タイムオーバーを知らせる報知器を備えるので、時間を測って検索トレーニングを行うことができ、短時間でスピードアップした検索を心がけることができ、脳の刺激が強まって、検索トレーニングの効果向上が期待できる。
（７）検索表示体から検索した検索指標又は擬似指標に指を当てるかそれを指で押すかして指摘すると、その指摘の正・誤の表示又は／及びその正誤に基づく得点を表示する表示機能を設けたので、毎回の検索成果が明確になり、トレーニングの目標設定ができ、ゲーム性もあるため、楽しみながら、飽きることなく、長く続けることができる。
（８）基準指標又は検索指標及び擬似指標の数、形、色、図形の組み合わせのバリエーション等を変えるだけで、検索の難易度を変えて、１級用、２級用といったようにレベル設定することができ、より高いレベルの検索に挑戦する喜びも生まれ、より効果的なトレーニングが可能となる。
（９）構造が簡易であり、紙や樹脂等でも作ることができるため、安価に提供することができ、誰でも手軽に入手して使用することができる。また、小型、軽量であるため、持ち運びや収納にも便利であって、時と場所を問わず、例えば膝の上などであっても使用できる。また、使用に際して特別な準備も必要ないため、気が向いたときに随時使用可能である。
【発明を実施するための最良の形態】
【０００７】
（実施形態１）
本発明の脳刺激用検索具の実施形態の一例を、図１、図２に基づいて詳細に説明する。本発明の脳刺激用検索具１は、図に示すように、板状の検索表示体２二枚の間に円盤状の基準表示体３を回転自在に固定してなり、表裏両面の使用を可能としてあるものである。
【０００８】
前記二枚の検索表示体２は、夫々図１に示すように、厚紙製の長方形の板材であって、中央部分に表示窓４が開口され、また、長方形の一辺が切り欠かれて前記円盤状の基準表示体３の一部が露出するように切替操作窓５が開口されている。検索表示体２は、厚紙製に限らず、樹脂製等であってもよい。検索表示体２の形状も、図に示す長方形には限られず、円盤形など、他の任意の形状とすることができる。検索表示体２の表面には、図形、模様、記号、文字、色彩、動植物の絵若しくはこれらの組み合わせといった検索指標６ａ及び擬似指標６ｂが複数個配置されている。図１に示す検索指標６ａ及び擬似指標６ｂは、様々な色の円を切り欠いたり組み合わせたりした、所定の規則性を持つものであるが、検索指標６ａ及び擬似指標６ｂはこれには限られず、例えば数字、文字、国旗、交通標識、トランプ、花、動物等や、それらの組み合わせ等、任意の図柄等とすることができる。検索指標６ａ及び擬似指標６ｂは、検索表示体２に直接描いたり、脱着可能なステッカーを貼りつける等、任意の手段で配置することができる。本実施形態では、二枚の検索表示体２には、夫々異なる種類の検索指標６ａ及び擬似指標６ｂを配置することが、両面で難易度の異なる検索トレーニングをする上では望ましい。また、検索表示体２の長手方向一端には、視点切替指標７も配置されている。視点切替指標７は、周囲の検索指標６ａ及び擬似指標６ｂとは関連のない図形等を用いて目立つようにすることが望ましい。
【０００９】
前記基準表示体３は、図１に示すように、厚紙製の円盤状部材であって、円周部は手で把持して回転させ易いように鋸刃状に形成されている。基準表示体３は、厚紙製に限らず、樹脂製等であってもよい。基準表示体３は、二枚の検索表示体２の間に、一部が前記切替操作窓５から露出する位置に配置され、回転軸８を円の中心に備えて、二枚の検索表示体２の間に回転自在に取付けられている。基準表示体３の両面のうち、検索表示体２の表示窓４内を通過する円周上には、検索表示体２上に配置された検索指標６ａ又は擬似指標６ｂと形状、色彩等が同じである基準指標６ｃが、任意の順番で配置されている。従って、検索表示体２の表示窓４内には、検索表示体２上に配置された検索指標６ａ又は擬似指標６ｂのいずれかと同じ形状、色彩等の基準指標６ｃが表れ、基準表示体３を回転させると、表示窓４内の基準指標６ｃが次々と変わるようにしてある。
【００１０】
また、本発明の脳刺激用検索具１は、図２に示すように、スタンド９で支持することで、任意の角度に立てることもできる。図２に示すスタンド９は、板状の基板１０上に、二枚の挟持板１１が垂直に立設されたものであって、本発明の脳刺激用検索具１を挟持板１１間に差し入れて垂直に立設させることができるものである。スタンド９は、図２に示すものには限られず、脳刺激用検索具１を支持して、任意の角度に立てることができるものであれば、任意のものを用いることができる。
【００１１】
本実施形態の脳刺激用検索具１は、検索表示体２の四隅にゴム片等を備えて、机等に置いた場合に滑らないようにすることもできる。また、検索表示体２に紐、フック等を付けて、壁に掛けたりすることもできる。
【００１２】
上記のように、図１、図２に示す脳刺激用検索具１は、検索表示体２を二枚用い、基準表示体３の両面に基準指標６ｃを配置して、表裏両面を使用可能としてある。もっとも、検索表示体２を一枚として、片面のみを使用可能な脳刺激用検索具とすることも可能である。また、本実施形態の脳刺激用検索具１は、検索表示体２の上下左右どの方向からも使用することができ、指による検索指標６ａの指摘（指差運動）及び基準表示体３の回転を、左右どちらの手を用いてもできるようにしてある。
【００１３】
（使用例１）
図１、図２に示す本実施形態の脳刺激用検索具１を使用して検索トレーニングを行うには、次のようにする。本例では、指によって検索指標６ａ、基準指標６ｃを指摘する指差運動を行う場合について説明する。
（１）基準表示体３を一方に回転させて、表示窓４内に、基準表示体３上の基準指標６ｃを一つ表す。
（２）表示窓４内の基準指標６ｃを指で指摘し、検索表示体２上に配置された検索指標６ａ及び擬似指標６ｂの中から、表示窓４内の基準指標６ｃに対応した形状、色彩等の検索指標６ａを探して見つけ、その検索指標６ａを指で指摘する。
（３）検索指標６ａを指示したら、視点切替指標７を指で指摘して、視点を表示窓４から離し、指差運動が一セット終了する。
上記（１）〜（３）の動作を繰り返して、指差運動を任意セット数行うことができる。基準表示体３上の基準指標６ｃが一周したら、指差運動を一ゲーム終了とすることもできる。また、指差運動盤１を裏返して、別の検索指標６ａ及び擬似指標６ｂを用いて指差運動を行うこともできる。また、行う検索トレーニングは、指差運動には限られず、検索指標６ａ、基準指標６ｃを目で追うトレーニングとする等、任意の検索トレーニングとすることもできる。
【００１４】
（実施形態２）
本発明の脳刺激用検索具の実施形態の他の例について、図３に基づいて説明する。本実施形態の脳刺激用検索具も、基本的な構成態様は前記実施形態１記載のものと共通するが、検索表示体２及び基準表示体３の構成において実施形態１記載のものとは異なる。本実施形態の検索表示体２には、図３に示すように、検索表示体２に、表示窓４が三箇所に形成され（表示窓４ａ〜４ｃ）、基準表示体３が三枚備えられている（基準表示体３ａ〜３ｃ）。それに合わせて、検索表示体２には切替操作窓５も三箇所形成されている。また、本実施形態では、検索トレーニング時に視点が一つの表示窓４に固定されないため、図に示すように、検索表示体２上に視点切替指標７が設けられていない点でも実施形態１とは異なる。
【００１５】
表示窓４及び基準表示体３の数は、図に示す三つには限られず、任意の数設けることができる。検索表示体２及び基準表示体３の大きさや形状は、表示窓４及び基準表示体３の数に応じて変化させることができる。また、本実施形態においても、前記実施形態１と同様に視点切替指標７を備えることも可能である。
【００１６】
（使用例２）
図３に示す本実施形態の脳刺激用検索具１を使用して検索トレーニングを行うには、次のようにする。本例においても、検索トレーニングとして指差運動を行う場合について説明する。
（１）基準表示体３ａを一方に回転させて、表示窓４ａ内に、基準表示体３ａ上の基準指標６ｃを一つ表す。
（２）表示窓４ａ内の基準指標６ｃを指で指摘し、検索表示体２上の検索指標６ａ及び擬似指標６ｂ中から、表示窓４ａ内の基準指標６ｃと同じものを探して見つけ、その検索指標６ａを指で指摘する。
（３）次に基準表示体３ｂを一方に回転させて、表示窓４ｂ内に、基準表示体３ｂ上の基準指標６ｃを一つ表す。
（４）表示窓４ｂ内の基準指標６ｃを指で指摘し、検索表示体２上の検索指標６ａ及び擬似指標６ｂ中から、表示窓４ｂ内の基準指標６ｃと同じものを探して見つけ、その検索指標６ａを指で指摘する。
（５）次に基準表示体３ｃを一方に回転させて、表示窓４ｃ内に、基準表示体３ｃ上の基準指標６ｃを一つ表す。
（６）表示窓４ｃ内の基準指標６ｃを指で指摘し、検索表示体２上の検索指標６ａ及び擬似指標６ｂ中から、表示窓４ｃ内の基準指標６ｃに対応したものを探して見つけ、その検索指標６ａを指で指摘して、指差運動が一セット終了する。
上記（１）〜（６）の動作を繰り返して、指差運動を任意セット数行うことができる。各基準表示体３ａ〜３ｂ上の基準指標６ｃが一周したら、指差運動を一ゲーム終了とすることもできる。また、脳刺激用検索具１を裏返して、別の検索指標６ａ及び擬似指標６ｂの配置された検索表示体２を用いて指差運動を行うこともできる。また、上記使用例において、基準表示体３ａ〜３ｃを回転させて、各表示窓４ａ〜４ｃ内に基準指標６ｃを表した後に、各表示窓４ａ〜４ｃについて指摘を行うようにすることもできる。また、行う検索トレーニングは、前記実施形態１と同様に、指差運動には限られず、検索指標６ａ、基準指標６ｃを目で追うトレーニングとする等、任意の検索トレーニングとすることもできる。
【００１７】
（実施形態３）
本発明の脳刺激用検索具の実施形態の他の例について、図４に基づいて説明する。本実施形態の脳刺激用検索具も、基本的な構成態様は前記実施形態１記載のものと共通するが、検索表示体２及び基準表示体３の構成において実施形態１記載のものとは異なる。本実施形態の検索表示体２には、図３に示すように、大中小三種類の検索指標６ａ及び擬似指標６ｂが夫々配置されている。また、基準表示体３にも、複数種類の基準指標６ｃを一組として表示窓４に表すことができるように、複数種類の基準指標６ｃを一組として複数組配置してある。また、本実施形態でも、前記実施形態２のように、基準表示体２に表示窓４を複数個形成し、基準表示体３を複数枚備えることもできる。また、本実施形態も、表示窓４内に複数個の基準指標６ｃが表れ、検索トレーニング時に目線が一つの表示窓４に固定されないため、図に示すように、検索表示体２上に視点切替指標７が設けられていない。
【００１８】
前記検索表示体２に配置する検索指標６ａ及び擬似指標６ｂの種類は、図に示す三種類には限られず、二種類や、四種類の他、一種類であってもよく、任意の種類数とすることができる。また、検索指標６ａ及び擬似指標６ｂの種類分けは、図に示す大中小のような大きさによる種類分けの他にも、赤青黄のような色による種類分けをしたり、丸三角四角のような形による種類分けをしたり、その他相互に全く関係のない種類同士の図形、色彩、模様等を組み合わせたりする等、任意の種類分けをすることができる。また、前記基準表示体３に配置される一組の基準指標６ｃは、検索表示体２上の検索指標６ａ及び擬似指標６ｂを全種類一つずつ含むものには限られず、所定の種類の図形、色彩、模様等を複数個含むものとしたり、所定の種類の図形、色彩、模様等を含まないものとする等、表示窓４内に複数個の基準指標６ｃを表示できるものであれば任意の組み合わせのものとすることができる。また、本実施形態においても、前記実施形態１と同様に視点切替指標７を備えることも可能である。
【００１９】
（使用例３）
図４に示す本実施形態の脳刺激用検索具１を使用して検索トレーニングを行うには、次のようにする。本例においても、検索トレーニングとして指差運動を行う場合について説明する。
（１）基準表示体３を一方に回転させて、表示窓４内に、基準表示体３上の基準指標６ｃを一組表す。
（２）表示窓４内の一組の基準指標６ｃのうち一つを指で指摘し、検索表示体２上の検索指標６ａ及び擬似指標６ｂ中から、表示窓４内の基準指標６ｃに対応するものを探して見つけ、その検索指標６ａを指で指摘する。
（３）次に表示窓４内の一組の基準指標６ｃのうち他の一つを指で指摘し、検索表示体２上の検索指標６ａ及び擬似指標６ｂ中から、表示窓４内の基準指標６ｃに対応するものを探して見つけ、その検索指標６ａを指で指摘する。
（４）最後に表示窓４内の一組の基準指標６ｃのうち残りの一つを指で指摘し、検索表示体２上の検索指標６ａ及び擬似指標６ｂ中から、表示窓４内の基準指標６ｃに対応するものを探して見つけ、その検索指標６ａを指で指摘する。
（５）表示窓４内の全ての基準指標６ｃを指示したら、指差運動が一セット終了する。
上記（１）〜（５）の動作を繰り返して、指差運動を任意セット数行うことができる。基準表示体３上の基準指標６ｃの組が一周したら、指差運動を一ゲーム終了とすることもできる。また、脳刺激用検索具１を裏返して、別の検索指標６ａ及び擬似指標６ｂの組を用いて指差運動を行うこともできる。また、行う検索トレーニングは、前記各実施形態と同様に、指差運動には限られず、検索指標６ａ、基準指標６ｃを目で追うトレーニングとする等、任意の検索トレーニングとすることもできる。
【００２０】
（実施形態４）
本発明の脳刺激用検索具の実施形態の他の例について、図５に基づいて説明する。本実施形態の脳刺激用検索具も、基本的な構成態様は前記実施形態１記載のものと共通するが、検索表示体２及び基準表示体３の形状において実施形態１記載のものとは異なる。本実施形態の検索表示体２には、図５に示すように、切替操作窓５が形成されておらず、検索表示体２は長方形としてある。また、本実施形態では、図４に示すように、厚紙製の帯状の基準表示体３が備えられている。基準表示体３は、厚紙製に限らず、樹脂製等であってもよい。前記実施形態１と同様に、基準表示体３の片面又は両面には、検索表示体２上に配置された検索指標６ａ又は擬似指標６ｂのいずれかと同じ図形、色彩等の基準指標６ｃが、基準表示体３の長手方向に任意の順番で配置されている。基準表示体３は、二枚の検索表示体２の間に、長手方向一端部又は両端部を検索表示体２の外方に突出させて長手方向に往復スライド可能なように、且つ表示窓４内に基準表示体３上の基準指標６ｃが表れる位置に備えられている。従って、検索表示体２の表示窓４内には、検索表示体２上に配置された検索指標６ａ又は擬似指標６ｂのいずれかと同じ基準指標６ｃが表れ、基準表示体３を往復スライドさせると、表示窓４内に表示される基準指標６ｃが次々と変わるようにしてある。本実施形態においても、基準表示体３を保持し、往復スライドさせることが可能であれば、検索表示体２を一枚として、片面のみを使用可能な脳刺激用検索具とすることも可能である。また、本実施形態でも、前記実施形態２のように、基準表示体２に表示窓４を複数個形成し、基準表示体３を複数本備えることもできる。その場合は、検索表示体２上に視点切替指標７を設けないようにすることもできる。また、本実施形態の脳刺激用検索具１においても、前記実施形態２記載のものと同様に、検索表示体２上に複数種類の検索指標６ａ及び擬似指標６ｂを配置し、基準表示体３にも複数種類の基準指標６ｃを複数組配置して、表示窓４内に複数種類の基準指標６ｃを一組として同時に表れるようにすることもできる。
【００２１】
（使用例４）
図５に示す本実施形態の脳刺激用検索具１を使用して検索トレーニングを行うには、次のようにする。本例においても、検索トレーニングとして指差運動を行う場合について説明する。
（１）基準表示体３を一方にスライドさせて、表示窓４内に、基準表示体３上の基準指標６ｃを一つ表す。
（２）表示窓４内の基準指標６ｃを指で指摘し、検索表示体２上の検索指標６ａ及び擬似指標６ｂ中から、表示窓４内の基準指標６ｃに対応するものを探して見つけ、その検索指標６ａを指で指摘する。
（３）検索指標６ａを指示したら、視点切替指標７を指で指摘して、指差運動が一セット終了する。
上記（１）〜（３）の動作を繰り返して、指差運動を任意セット数行うことができる。基準表示体３上の基準指標６ｃが最後まで送り出されたら、指差運動を一ゲーム終了とすることもできる。また、脳刺激用検索具１を裏返して、別の検索指標６ａ及び擬似指標６ｂを用いて指差運動を行うこともできる。また、行う検索トレーニングは、前記各実施形態と同様に、指差運動には限られず、検索指標６ａ、基準指標６ｃを目で追うトレーニングとする等、任意の検索トレーニングとすることもできる。
【００２２】
（実施形態５）
本発明の脳刺激用検索具の実施形態の他の例について、図６（ａ）（ｂ）に基づいて説明する。本実施形態の脳刺激用検索具は、図に示すように、本の体裁をとる点で前記各実施形態記載のものとは異なる。本実施形態の脳刺激用検索具１は、図６（ａ）に示すように、本の右ページを検索表示体２とし、複数個の検索指標６ａ及び擬似指標６ｂを配置している。また、本の左ページを基準表示体３とし、基準指標６ｃを一つ配置している。従って、本実施形態の指示具１は見開き二ページで検索トレーニングが一セット可能なようにしてある。検索表示体２と基準表示体３との配置は、図６（ａ）に示す配置には限られず、左右逆や、上下に配置する等、任意の配置とすることができる。また、基準表示体３に配置する基準指標６ｃの数は一つには限られず、複数個とすることもできる。また、図６（ｂ）に示すように、検索表示体２の検索指標６ａ及び擬似指標６ｂと同じ図形、模様、色彩等を全て配置することもできる。本実施形態の脳刺激用検索具１は、各ページを難易度順に配置することもできる。また、本実施形態の脳刺激用検索具１も、ページ（検索表示体２又は基準表示体３）をめくることによって、使用者の視界が切り替わるため、実施形態１記載の脳刺激用検索具のような視点切替指標７を設ける必要がない。
【００２３】
（使用例５）
図６（ａ）に示す本実施形態の脳刺激用検索具１を使用して検索トレーニングを行うには、次のようにする。本例においても、検索トレーニングとして指差運動を行う場合について説明する。
（１）本型の脳刺激用検索具１を開き、左ページの基準表示体３に基準指標６ｃが一つ表され、右ページの検索表示体２に複数個の検索指標６ａ及び擬似指標６ｂが表された見開き二ページとする。
（２）左ページの基準表示体３の基準指標６ｃを指で指摘し、右ページの検索表示体２の複数個の検索指標６ａ及び擬似指標６ｂ中から、基準指標６ｃに対応するものを探して見つけ、その検索指標６ａを指で指摘して、指差運動が一セット終了する。
（３）検索指標６ａを指で指摘したら、ページを一ページめくり、再び、左ページの基準表示体３に基準指標６ｃが一つ表され、右ページの検索表示体２に複数個の検索指標６ａ及び擬似指標６ｂが表された別の見開き二ページとする。
（４）左ページの基準表示体３の基準指標６ｃを指で指摘し、右ページの検索表示体２の複数個の検索指標６ａ及び擬似指標６ｂ中から、基準指標６ｃに対応するものを探して見つけ、その検索指標６ａを指で指摘して、指差運動がもう一セット終了する。
上記（１）〜（４）の動作を繰り返して、指差運動を任意セット数行うことができる。ページを最後までめくったら、指差運動を一ゲーム終了とすることもできる。また、行う検索トレーニングは、前記各実施形態と同様に、指差運動には限られず、検索指標６ａ、基準指標６ｃを目で追うトレーニングとする等、任意の検索トレーニングとすることもできる。
【００２４】
（実施形態６）
本発明の脳刺激用検索具の実施形態の他の例について、図７（ａ）（ｂ）に基づいて説明する。本実施形態の脳刺激用検索具も、図に示すように、本の体裁をとる点で前記実施形態５記載のものと共通する。本実施形態の脳刺激用検索具１は、図７（ａ）（ｂ）に示すように、本型であって、各ページを検索表示体２とし、複数個の検索指標６ａ及び擬似指標６ｂを配置し、見開き二ページで、指差運動が一セット可能なようにしたものである。図７（ａ）中の右ページには、表示窓４が開口されており、表示窓４内に表示される下のページが基準表示体３となり、下のページに配置された検索指標６ａ及び擬似指標６ｂが、基準指標６ｃとして表示窓４内に表れるようにしてある。また、図７（ｂ）に示すように、表示窓４のあるページをめくって、左ページとした場合も、表示窓４内に表示される下のページが基準表示体３となり、下のページに配置された検索指標６ａ及び擬似指標６ｂが、基準指標６ｃとして表示窓４内に表れるようにしてある。本実施形態の脳刺激用検索具には、見開き二ページのうち少なくとも一ページ中に、下のページを基準表示体３とし、基準指標６ｃを一つ以上表す表示窓４が開口されている。また、各ページに、前記実施形態１〜４のような、円盤状、帯状等の検索表示体２と別体の基準表示体３を備え、切替操作できるようにすることもできる。また、表示窓４を複数個開口することもできる。前記実施形態３記載の脳刺激用検索具のように、各ページ上の検索指標６ａ及び擬似指標６ｂは、大中小の三種類等のように複数種類配置することもできる。また、表示窓４内には、複数個の基準指標６ｃが表れるようにすることもできる。また、見開きページごとに、夫々異なる種類の検索指標６ａ及び擬似指標６ｂを配置することもできる。また、本実施形態の脳刺激用検索具１も、ページをめくることによって、使用者の視界が切り替わるため、前記各実施形態記載のもののように視点切替指標７を設ける必要がない。
【００２５】
（使用例６）
図７（ａ）（ｂ）に示す本実施形態の脳刺激用検索具１を使用して検索トレーニングを行うには、次のようにする。本例においても、検索トレーニングとして指差運動を行う場合について説明する。
（１）本型の脳刺激用検索具１を開き、見開き二ページの検索表示体２に複数個の検索指標６ａ及び擬似指標６ｂが表され、表示窓４内に、下のページの基準表示体３の基準指標６ｃが一つ表れている見開き二ページとする。
（２）表示窓４内の基準指標６ｃを指で指摘し、見開き二ページの検索表示体２の検索指標６ａ及び擬似指標６ｂ中から、表示窓４内の基準指標６ｃに対応したものを探して見つけ、その検索指標６ａを指で指摘して、指差運動が一セット終了する。
（３）検索指標６ａを指示したら、ページを一ページめくり、再び、見開き二ページの検索表示体２に複数個の検索指標６ａ及び擬似指標６ｂが表され、表示窓４内に、下のページの基準表示体３の基準指標６ｃが一つ表れている別の見開き二ページとする。
（４）表示窓４内の基準指標６ｃを指で指摘し、見開き二ページの検索表示体２の検索指標６ａ及び擬似指標６ｂ中から、表示窓４内の基準指標６ｃに対応したものを探して見つけ、その検索指標６ａを指で指摘して、指差運動がもう一セット終了する。
上記（１）〜（４）の動作を繰り返して、指差運動を任意セット数行うことができる。ページを最後までめくったら、指差運動を一ゲーム終了とすることもできる。また、行う検索トレーニングは、前記各実施形態と同様に、指差運動には限られず、検索指標６ａ、基準指標６ｃを目で追うトレーニングとする等、任意の検索トレーニングとすることもできる。
【００２６】
（実施形態７）
本発明の脳刺激用検索具の実施形態の他の例について、図８に基づいて説明する。本実施形態の脳刺激用検索具１は、前記各実施形態記載のものとは異なり、複数の画面を備えるディスプレイ２０にタイマーと音声出力装置２３とを備え、画面上に表示される基準指標６ｃを指差して検索トレーニングを行うことができるものである。本実施形態においては、図８に示すように、検索表示体２及び基準表示体３とは一つの画面としてある（以下「表示体２（３）」とする。）。本実施形態のディスプレイ２０には、ＣＲＴディスプレイや、液晶ディスプレイ等、任意の表示装置を用いることができる。また、本実施形態の脳刺激用検索具１には、図８に示すように、表示体２（３）の上方に情報表示画面２２が備えられている。
【００２７】
前記表示体２（３）は、図８に示すように、一つの画面であって、任意の検索指標６ａ及び擬似指標６ｂ、表示窓４、基準指標６ｃ等を切替表示可能としたものである。また、本実施形態の表示体２（３）には、使用者が表示体２（３）に表示した検索指標６ａ及び擬似指標６ｂや基準指標６ｃにタッチしたかどうかを検出するタッチパネルスイッチ（図示しない）が備えられている。タッチパネルスイッチは、使用者が表示体２（３）に表示した検索指標６ａ及び擬似指標６ｂや基準指標６ｃを指で押したかどうかを検出するものとすることもできる。従って、表示体２（３）は、使用者が正しく検索指標６ａにタッチし、検索トレーニングが一セット終了したことを検知して、表示されている検索指標６ａ及び擬似指標６ｂ、表示窓４、基準指標６ｃ等を切り替えるようにすることができる。
【００２８】
前記情報表示画面２２は、図８に示すように、表示体２（３）の上部に配置され、使用者が表示体２（３）においてタッチした検索指標６ａ又は擬似指標６ｂの正誤、検索開始からの経過時間や残り時間、タイムオーバー、獲得得点、最高得点等の諸情報を表示可能としたものである。また、情報表示画面２２にもタッチパネルスイッチを備え、表示情報の切り替え等を可能にすることもできる。
【００２９】
前記タイマーは、本実施形態の脳刺激用検索具１に内蔵されており、検索開始からの経過時間を測ったり、制限時間を設定して残り時間を測ったりすることができる。タイマーには、図８に示すように、スイッチ２４が備えられ、スイッチ２４を押してタイマーの作動及び停止を行うことができるようにしてある。また、本実施形態では、スイッチ２４は、指差運動の開始スイッチとしても用いられており、スイッチ２４を押すと、タイマーが作動するとともに、表示画面２１及び情報表示画面２２が作動して、検索トレーニングが開始できるようにしてある。スイッチ２４は、前記表示体２（３）や情報表示画面２２上に表示することも可能である。
【００３０】
前記音声出力装置２３は、図８に示すように、表示体２（３）の下部に配置され、使用者が表示体２（３）においてタッチした検索指標６ａ又は擬似指標６ｂの正誤、検索トレーニングの開始及び終了、得点、指差運動の開始からの経過時間や残り時間、タイムオーバー等を音声で案内することができるものである。
【００３１】
また、本実施形態の脳刺激用検索具１も、図８に示すように、スタンド２５によって支持して、任意の角度に立てることができる。
【００３２】
前記ディスプレイ２０は、図に示すように表示体２（３）と情報表示画面２２とを別個に備えるものには限られず、任意の検索指標６ａ及び擬似指標６ｂ、表示窓４、基準指標６ｃ等の切替表示と、タッチした検索指標６ａ又は擬似指標６ｂの正誤等の諸情報の表示とを分けて表示可能であれば、ディスプレイ２０に備えられる画面は一つであってもよい。また、前記ディスプレイ２０、タイマー、音声出力装置２３等の形状、大きさ、配置等は、図８に示すものには限られず、任意の形状、大きさ、配置等とすることができる。
【００３３】
（使用例７）
図８に示す本実施形態の脳刺激用検索具１を使用して検索トレーニングを行うには、次のようにする。本例においても、検索トレーニングとして指差運動を行う場合について説明する。
（１）スイッチ２４を押して、タイマー、表示体２（３）、情報表示画面２２を作動させる。表示体２（３）には、複数個の検索指標６ａ及び擬似指標６ｂと、表示窓４が表示され、表示窓４内には基準指標６ｃが表示される。
（２）表示体２（３）上に表された表示窓４内の基準指標６ｃに指を触れてタッチし、表示体２（３）上の検索指標６ａ及び擬似指標６ｂ中から、表示窓４内の基準指標６ｃに対応したものを探して見つけ、その検索指標６ａ又は擬似指標６ｂに指を触れてタッチして、指差運動が一セット終了する。情報表示画面２２にはタッチした検索指標６ａ又は擬似指標６ｂの正誤が表示され、音声出力装置２３からはタッチした検索指標６ａ又は擬似指標６ｂの正誤が音声で案内される。
（３）表示体２（３）の表示が切り替わり、別の複数個の検索指標６ａ及び擬似指標６ｂと、表示窓４が表示され、表示窓４内には基準指標６ｃが表示される。
（４）上記（２）〜（３）の動作を繰り返し、指差運動を任意セット数行うことができる。所定のセット数を終了したり、所定時間が経過した場合には、指差運動を一ゲーム終了とし、得点等の結果を情報表示画面２２に表示する。
再度指差運動を行う場合は、上記（１）〜（４）を繰り返す。
なお、行う検索トレーニングは、前記各実施形態と同様に、指差運動には限られず、検索指標６ａ、基準指標６ｃをキーボードやマウスで指示体を操作して指摘するトレーニングとする等、任意の検索トレーニングとすることもできる。
【００３４】
（その他の実施形態）
本発明の脳刺激用検索具においては、複数個の検索指標及び擬似指標を表示する検索表示体や、表示窓内に表される基準指標を切り替える基準表示体の形状等は、上記のものには限られず、任意の形状等とすることができる。従って、例えば、検索表示体を円盤形としたり、球体や立方体のような立体とすることも可能である。また、基準表示体も、ルーレット型等としてどの基準指標が窓内に表されるか事前に分からないようにすること等もできる。
【００３５】
本発明の脳刺激用検索具においては、検索表示体又は基準表示体上の図形、模様、色彩等の種類を増やしたり、混同し易い図形、模様、色彩等を増やす等して、難易度を細かく調節することもできる。難易度は、任意の段階数に調整することができる。また、年代別、男女別等の分け方で段階を調整することもできる。
【００３６】
また、検索表示体２に配置される擬似指標６ｂは、基準表示体３に配置されておらず、決して表示窓４内に表れることのないダミーとして、検索トレーニングの難易度を上げることもできる。また、表示窓内になぞなぞや数式を表して、その答えを検索表示体に配置される図柄や文字や数字などから探すようにして検索トレーニングの難易度を上げることもできる。
【産業上の利用可能性】
【００３７】
本発明の脳刺激用検索具は、老人のボケ防止のための脳の活性化のためのトレーニングに活用できるほかに、乳幼児等に、文字、物の名前等を教えるための教育用教材としても活用することができる。
【図面の簡単な説明】
【００３８】
【図１】本発明の脳刺激用検索具の実施形態の一例を示す平面図。
【図２】図１に示す脳刺激用検索具を示した斜視図。
【図３】本発明の脳刺激用検索具の実施形態の他の一例を示す平面説明図。
【図４】本発明の脳刺激用検索具の実施形態の他の一例を示す平面説明図。
【図５】本発明の脳刺激用検索具の実施形態の他の一例を示す平面図。
【図６】本発明の脳刺激用検索具の実施形態の他の一例を示す平面説明図。
【図７】（ａ）、（ｂ）は、本発明の脳刺激用検索具の実施形態の一例を示す説明図。
【図８】本発明の脳刺激用検索具の実施形態の一例を示す斜視図。
【符号の説明】
【００３９】
１  脳刺激用検索具
２  検索表示体
３  基準表示体
４  表示窓
５  切替操作窓
６ａ  検索指標
６ｂ  擬似指標
６ｃ  基準指標
７  視点切替指標